(57)【要約】【課題】簡単な構造で且つ位置決め調整が容易なアンカーボルトの支持装置を安価に提供するものである。【解決手段】基礎地盤１５上に取り付けたベース部材３にポスト部材２を連結して立設させ、建物の柱を取り付けるアンカーボルト４をポスト部材２に連結して、アンカーボルト４の上端ねじ部４ａを突出する態様で基礎コンクリート２０中に埋設するアンカーボルトの支持装置において、ベース部材３と基礎地盤１５の間に支圧板１３を設け、下部を基礎地盤１５中に埋設したアンカーねじ９の上部にベース部材３及び支圧板１３を挿通させ、取付けナット１４をアンカーねじ９に螺合してベース部材３及び支圧板１３を基礎地盤１５上に固定し、ベース部材３に設けた調整ねじ孔１２に調整ねじ１１を螺合すると共に、調整ねじ１１の先端で支圧板１３を押圧させ、調整ねじ１１の締め付け調整によってベース部材３の一部を昇降可能にした。【選択図】　　図１
2004052405.tif 000002
【特許請求の範囲】
【請求項１】
基礎地盤上に取り付けたベース部材にポスト部材を連結して立設させ、建物の柱を取り付けるアンカーボルトをポスト部材に連結して、アンカーボルトの上端ねじ部を突出する態様で基礎コンクリート中に埋設するアンカーボルトの支持装置において、
前記ベース部材と基礎地盤の間に支圧板を設け、下部を基礎地盤中に埋設したアンカーねじの上部にベース部材及び支圧板を挿通させ、取付けナットをアンカーねじに螺合してベース部材及び支圧板を基礎地盤上に固定し、ベース部材に設けた調整ねじ孔に調整ねじを螺合すると共に、調整ねじの先端で支圧板を押圧させ、調整ねじの締め付け調整によってベース部材の一部を昇降可能にしたことを特徴とするアンカーボルトの支持装置。
【発明の詳細な説明】
【０００１】
【発明の属する技術分野】
本発明は、基礎地盤上に立設してアンカーボルトを支持すると共に、アンカーボルトの上端ねじ部を突出する態様で建物の基礎コンクリート中に埋設されるアンカーボルトの支持装置に関し、布基礎や独立基礎或いは柱脚基礎などにおけるアンカーボルトの支持装置に適用することができる。
【０００２】
【従来の技術】
この種のアンカーボルトの支持装置には、例えば本件発明者が既に提案したものとして、特許第３０２５６３８号公報及び特許第３０６６７１１号公報に開示されている布基礎に適用したアンカーボルトの支持装置や、特許第３１２４７２８号公報及び特許第３１５１４３３号公報に開示されている柱脚基礎に適用したアンカーボルトの支持装置などがある。
【０００３】
これらのアンカーボルトの支持装置は、アンカーボルトの上端ねじ部を介して建物の柱に連結し、柱からの応力を基礎に伝達すべく基礎コンクリート中に埋設されているが、特にアンカーボルトの上端ねじ部の高さ位置及び前後左右の水平位置を、柱の取付け位置と正確に一致させるために、位置決めを行う調整機能が必要であり、本件発明者は上記提案以外にも幾つかの提案を行っている。
【０００４】
【発明が解決しようとする課題】
しかしながら、これらの提案によるアンカーボルトの支持装置における位置決め調整機能は、必ずしも満足できるものとは言えず改善の余地があり、本発明ではさらなる改良を加えて、特に簡単な構造で且つ位置決め調整が容易なアンカーボルトの支持装置を安価に提供するものである。
【０００５】
【課題を解決するための手段】
本発明は、基礎地盤上に取り付けたベース部材にポスト部材を連結して立設させ、建物の柱を取り付けるアンカーボルトをポスト部材に連結して、アンカーボルトの上端ねじ部を突出する態様で基礎コンクリート中に埋設するアンカーボルトの支持装置を実施対象とするものである。
【０００６】
本発明によるアンカーボルトの支持装置は、前記ベース部材と基礎地盤の間に支圧板を設け、下部を基礎地盤中に埋設したアンカーねじの上部にベース部材及び支圧板を挿通させ、取付けナットをアンカーねじに螺合してベース部材及び支圧板を基礎地盤上に固定し、ベース部材に設けた調整ねじ孔に調整ねじを螺合すると共に、調整ねじの先端で支圧板を押圧させ、調整ねじの締め付け調整によってベース部材の一部を昇降可能にした。
【０００７】
このアンカーボルトの支持装置では、調整ねじの締め付け調整によって支圧板に対する押圧力を可変してベース部材の一部を昇降させ、ポスト部材を介してアンカーボルトの上端ねじ部の水平位置を調整することができるので、基礎地盤の不陸などによって生じた上端ねじ部の位置ずれを補正し、建物の柱の設置位置に整合させることができる。
【０００８】
このアンカーボルトの支持装置における水平位置の調整手段は、この種の従来技術の調整手段に比べて、構成がきわめて簡単で安価に提供することができると共に、調整ねじの締め付け調整を行う簡単な操作で容易にアンカーボルトの上端ねじ部に対する水平位置の調整を行うことができ、而も布基礎や独立基礎或いは柱脚基礎など広範囲なアンカーボルトの支持装置に適用することができる。
【０００９】
【発明の実施の形態】
以下に、本発明によるアンカーボルトの支持装置について、本発明を適用した好適な実施形態を示す添付図面に基づいて詳細に説明するが、図１〜図４では、布基礎又は独立基礎に適用したアンカーボルトの支持装置について説明すると共に、図５〜図７では、柱脚基礎に適用したアンカーボルトの支持装置について説明する。
【００１０】
図１で示すアンカーボルトの支持装置１は、Ｌ形のアングル材で形成した長尺なポスト部材２の下端側に、方形状をしたベース部材３が溶接などによって一体に連結されており、ポスト部材２の上端側には上端ねじ部４ａを有するアンカーボルト４が着脱可能に装着されている。
【００１１】
ポスト部材２は、上端側に板状の係止部材５が溶接などによって一体に連結されており、係止部材５に穿設したねじ孔に係止ボルト６を螺合させ、所望の高さ位置に調整したアンカーボルト４に対して係止ボルト６を締め付けると、先端がアンカーボルト４の外周を押圧し、アンカーボルト４をポスト部材２の角隅部に押し付けた３点支持の状態で固着することができる。
【００１２】
なお、図４で示すように、板状の係止部材５に代えてねじ孔７ａを穿設した筒状の係止部材７を、溶接などによってポスト部材２の角隅部に一体に連結させ、ねじ孔７ａ螺合した係止ボルト８でアンカーボルト４を固着する形態を採ることも可能であり、アンカーボルト４の下端側を折り曲げて回り止め４ｂを形成することができる。
【００１３】
ベース部材３には、中空で外周にねじを刻設したアンカーねじ９を遊嵌状に挿通する取付け孔１０を中央に設けると共に、調整ねじ１１（１１ａ，１１ｂ，１１ｃ）を螺合させる調整ねじ孔１２（１２ａ，１２ｂ，１２ｃ）を、取付け孔１０と同心円上の外周囲に設ける。
【００１４】
また、ベース部材３の下面側には支圧板１３を配置し、この支圧板１３の中央には取付け孔１０と整合してアンカーねじ９を遊嵌状に挿通する取付け孔（図示を省略する）を設け、アンカーねじ９には取付けナット１４が螺合される。
【００１５】
以上の構成によるアンカーボルトの支持装置１は、図２で示すように、捨てコンクリートが打設された基礎地盤１５上に立設されるが、基礎地盤１５上の墨出し位置に下穴を設けてアンカーねじ９を挿入すると共に、アンカーねじ９の中空部を介してウォールアンカー１６を基礎地盤１５中に打ち込んでアンカーねじ９を支持させる。
【００１６】
次に、支圧板１３とベース部材３をアンカーねじ９にそれぞれ挿通させ、アンカーねじ９に取付けナット１４を螺合すると共に、調整ねじ孔１２に調整ねじ１１を螺合して、図２のようにアンカーボルトの支持装置１を基礎地盤１５上に自立させる。
【００１７】
次に、アンカーボルトの支持装置１の外周囲に縦筋及び横筋からなる補強鉄筋（図示を省略）を配筋した後に、補強鉄筋の外周囲に型枠１７を設置すると共に、型枠１７の上端側には所定間隔毎に幅止め具１８を取付け、幅止め具１８から上端ねじ部４ａが突出する態様で固定ナット１９で締め付ける。
【００１８】
この状態で型枠１７内にコンクリートを打設すると、上端ねじ部４ａの先端を除くアンカーボルトの支持装置１が埋設された態様で基礎コンクリート２０ができ上がるが、基礎地盤１５の不陸その他の要因で上端ねじ部４ａの先端が所望の高さ位置及び前後左右の水平位置からずれているのを、コンクリートを打設する前に位置決め調整する。
【００１９】
この位置決め調整は、アンカーボルト４の高さ方向については、係止ボルト６及び固定ナット１９を一旦緩めた状態にして、アンカーボルト４を所望の高さに位置決めした後に、係止ボルト６及び固定ナット１９を再度締め付け直して緊結する。
【００２０】
また、アンカーボルト４の前後左右方向については、図３で示すように、固定ナット１９を一旦緩めてベース部材３が上下に移動可能な状態に繋着し、３本の各調整ねじ１１ａ，１１ｂ，１１ｃを締め付けを調整するが、締め付けた際には調整ねじ１１の先端が支圧板１３を押圧してベース部材３を局部的に持ち上げ、緩めた際にはベース部材３が局部的に引き下げられる。
【００２１】
従って、３本の各調整ねじ１１ａ，１１ｂ，１１ｃを適宜に締め付け又は緩めて個別に締め付けを調整すると、ポスト部材２を介してアンカーボルト４の上端ねじ部４ａにおける先端を、前後又は左右方向に対して所望な角度に傾斜させ、建物の柱を設置する位置に整合した状態に位置決め調整することができる。
【００２２】
次に、図５は柱脚基礎に適合させたアンカーボルトの支持装置２１であり、布基礎及び独立基礎の場合とほぼ同様に機能するように構成した４本のアンカー支持部２２（２２Ａ，２２Ｂ，２２Ｃ，２２Ｄ）を有し、各アンカー支持部２２の下端側はポスト部材２３及びベース部材２４が分離していると共に、各アンカー支持部２２の上端側は各アンカーボルト２５の上端ねじ部２５ａをテンプレート２６で連結している。
【００２３】
各アンカー支持部２２には、ポスト部材２３の上端側でアンカーボルト２５を高さ調整可能に支持するために、角筒状の係止部材２７と係止ボルト２８で構成した高さ調整部２９を設けると共に、ポスト部材２３を介してアンカーボルト２５を前後又は左右方向に調整可能にする水平調整部３０が設けられている。
【００２４】
水平調整部３０は、布基礎におけるアンカーボルトの支持装置１の場合と同様に、アンカーねじとウォールアンカー（図示を省略）と取付けナット３１を介してベース部材２４及び支圧板３２を基礎地盤上に取付け、ベース部材２４には調整ねじ孔を介して３本の調整ねじ３３が装着されている。
【００２５】
これらの高さ調整部２９及び水平調整部３０は、布基礎におけるアンカーボルトの支持装置１の場合と同様にして位置決め調整が行われるので、重複した説明は省略するが、各アンカー支持部２２におけるアンカーボルト２５を個別に位置決め調整し、各上端ねじ部２５ａの上端を柱脚の取り付けに適合させる。
【００２６】
次に、図６は図５とは別の柱脚基礎に適合させたアンカーボルトの支持装置３４であり、ポスト部材３５（３５Ａ，３５Ｂ，３５Ｃ，３５Ｄ）より上部の構造は、図５と同様の構造であるから、図示及び説明は省略するが、図６の柱脚基礎における各アンカー支持部では、各ベース部材３６が一体に連結されている。
【００２７】
すなわち、ベース部材３６は垂直片と水平片を有するＬアングル材で形成した各ベース部材３６Ａ，３６Ｂ，３６Ｃ，３６Ｄを、突き合わせ状態で溶接して一体の方形枠状に形成され、このベース部材３６の垂直片内側の四隅には各ポスト部材３５が、ボルト３７とナット３８によって連結されている。
【００２８】
各ベース部材３６の水平片には、布基礎におけるアンカーボルトの支持装置１の場合と同様の、中空で軸心にウォールアンカーを装着して基礎地盤３９中に埋設すると共に、外周にねじを刻設したアンカーねじ４０と、アンカーねじ４０に螺合してベース部材３６及び支圧板４１を取付ける取付けナット４２と調整ねじ孔に螺合する調整ねじ４３が設けられている。
【００２９】
アンカーボルトの支持装置３４は、図７で示すように、取付けナット４２を緩めた状態にして調整ねじ４３を締め付け又は緩めると、締め付けた際には調整ねじ４３の先端が支圧板４１を押圧してベース部材３６を局部的に持ち上げ、緩めた際にはベース部材３６が局部的に引き下げられる。
【００３０】
従って、各ベース部材３６に設けた各調整ねじ４３を適宜に締め付け又は緩めることにより、ポスト部材３５を介してアンカーボルト２５の上端ねじ部２５ａにおける先端を、前後又は左右方向に対して所望な角度に傾斜させ、建物の柱を設置する位置に整合した状態に位置決め調整することができる。
【図面の簡単な説明】
【図１】本発明を布基礎又は独立基礎に適用したアンカーボルトの支持装置の斜視図を示す。
【図２】図１のアンカーボルトの支持装置を用いた布基礎又は独立基礎の基礎コンクリートの施工状態を示す縦断面図を示す。
【図３】図１のアンカーボルトの支持装置における水平方向に対する位置決め調整の説明図である。
【図４】他の実施形態によるアンカーボルトの高さ調整部の分解斜視図である。
【図５】本発明を柱脚基礎に適用したアンカーボルトの支持装置の斜視図を示す。
【図６】本発明を更に他の柱脚基礎に適用したアンカーボルトの支持装置の要部平面図を示す。
【図７】図６のアンカーボルトの支持装置における水平方向に対する位置決め調整の説明図である。
【符号の説明】
１，２１，３４　アンカーボルトの支持装置
２，２３，３５　ポスト部材
３，２４，３６　ベース部材
４，２５　アンカーボルト
５，７，２７　係止部材
６，８，２８　係止ボルト
９，４０　アンカーねじ
１０　取付け孔
１１，３３，４３　調整ねじ
１２　調整ねじ孔
１３，３２，４１　支圧板
１４，３１，４２　取付けナット
１５，３９　基礎地盤
１６　ウォールアンカー
１７　型枠
１８　　幅止め具
１９　固定ナット
２０　基礎コンクリート
２２　アンカー支持部
２６　テンプレート
２９　高さ調整部
３０　水平調整部
３７　ボルト
３８　ナット
【図１】
2004052405.tif 000003
【図２】
2004052405.tif 000004
【図３】
2004052405.tif 000005
【図４】
2004052405.tif 000006
【図５】
2004052405.tif 000007
【図６】
2004052405.tif 000008
【図７】
2004052405.tif 000009